(57)【要約】【課題】  搬送ホース内への表土の付着等を伴うことなく、表土の採取・搬送を可能にするという目的を、構成の複雑化等を伴うことなく実現可能とする。【解決手段】  現地植生生態域の表層面に堆積した表土２０−１を、リターショベル１２での高圧エアの吹き付けによりほぐし、そのほぐした表土を、所定箇所に集積する工程と、この集積した表土２０−２を表土改良機２６によって粉砕しながら混合し、その表土に含まれている水分を、この混合時に所定の吸水材に吸水させることにより、この表土を、含水量の低減された、搬送ホース２８による流動搬送の可能な状態に改良する工程と、この改良された改良表土２０−３を、流動搬送装置４２の搬送ホース２８を介して、その現地植生生態域から流動搬送する工程とを有するものとして、この表土の採取・搬送方法は具現化されている。【選択図】          図２
2008050750.tif 000002
【特許請求の範囲】
【請求項１】
現地植生生態域の表層面に堆積した表土を、所定高圧流体の吹き付けによりほぐし、そのほぐした表土を、所定箇所に集積する工程と；
上記集積した表土を所定の表土改良機によって粉砕しながら攪拌し、その表土に含まれている水分を、所定の吸水材の混合のもとでこれに吸水させることにより、この表土を、含水量の低減された、搬送ホースによる流動搬送の可能な状態に改良する工程と；
上記により改良された改良表土を、流動搬送装置の搬送ホースを介して、上記現地植生生態域から流動搬送する工程と；
を有する表土の採取・搬送方法。
【請求項２】
高圧エアを噴出するリターショベルを、前記表土をほぐす作業に使用する請求項１記載の表土の採取・搬送方法。
【請求項３】
高圧エアを噴出するリターショベルを、前記表土の集積作業に使用する請求項１または２記載の表土の採取・搬送方法。
【請求項４】
表土を収容可能とする、傾斜支持されたドラム本体と；このドラム本体内に回転自在に延出配置された回転軸と；特定以上の負荷が加わった際におけるその反回転進行方向への首振りを可能に、この回転軸の軸線に対する直交方向に延出支持された翼状刃部と；この翼状刃部を、その初期位置に復元、保持するための付勢手段と；回転軸を回転駆動する駆動手段と；を具備してなる表土改良機を、前記表土を改良する工程において使用する請求項１ないし３のいずれか記載の表土の採取・搬送方法。
【請求項５】
搬送ホースを介した吸引の可能なバキュームカーを、前記改良表土を流動搬送する工程において使用する請求項１ないし４のいずれか記載の表土の採取・搬送方法。
【請求項６】
表土を収容可能とする、傾斜支持されたドラム本体と；
このドラム本体内に回転自在に延出配置された回転軸と；
特定以上の負荷が加わった際におけるその反回転進行方向への首振りを可能に、この回転軸の軸線に対する直交方向に延出支持された翼状刃部と；
この翼状刃部を、その初期位置に復元、保持するための付勢手段と；
上記回転軸を回転駆動する駆動手段と；
を具備してなる、分解運搬の可能な表土改良機。
【発明の詳細な説明】
【技術分野】
【０００１】
森林等のような現地植生生態域の表層面に堆積した表土を採取し搬送する表土の採取・搬送方法、およびこの方法の遂行に用いて好適な表土改良機に関する。
【背景技術】
【０００２】
森林等のような現地植生生態域の表層面に堆積した表土を採取、保管し、それをその近隣の法面や裸地等での緑化基盤造成の際の植生基材として使用する、現地植生での緑化を目的とした緑化工法が、近年広く知られている。
【０００３】
このような森林等の表土においては、落下した現地植生の種子や飛来、落下した周辺植生の種子等が、その埋没により埋土種子を形成することから、森林等のこの表土をその近隣の緑化に用いることにより、現地周辺の植物相に応じた緑化が可能となる。
【０００４】
ところで、表土を採取する従来の手法としては、人力のほかに、バックホー等の重機を用いるものが一般的に知られている。しかしながら、バックホーでの作業であると、表土となる浅い層のみの採取が困難であるため、森林等を必要以上に掘削することになりかねず、また重機を森林等内で移動させる上で樹木を伐採することも必要となることから、このようなバックホー等の重機での作業は、表土採取域の荒廃の原因となるとして、その代替案が求められていた。
【０００５】
その一つとして、たとえば、森林等の表土を高圧エア等の吹き付けによってほぐし、このほぐした表土をバキュームによって吸引採取する、特開２０００−２７０６７４号公報に開示の方法がある。このような、バックホー等の重機を用いない採取方法であれば、森林等の表土の採取が、その森林等の荒廃を伴うことなく可能となる。
【０００６】
ここで、この公知の方法は、高圧エア等の吹き付けによってほぐした表土を、バキュームによって直接的に吸引採取するものとしているため、この公知の方法を遂行するにあたっては、その先端に吸引口等を有する搬送ホースを、その森林内の採取域全体で移動させなければならない。しかしながら、この搬送ホースが直径１００ｍｍ程度と比較的太くかつ重いことに加え、採取される表土が表層面から１０ｃｍ程度と浅く、相当量の表土を採取するためには、採取域が比較的広範囲に設定されることから、搬送ホースを取り回しての採取作業では、その作業性の低下が避けられないといえる。
【０００７】
そして、植生の点在する森林内においては、搬送ホースの移動が、この植生による制限を受けやすいため、搬送ホースの取り回しの伴われるバキュームでの採取作業は、この点においても、その作業性が低下しやすい。
【０００８】
また、森林等の表土は、比較的多くの水分を含んでいるため、これをバキュームの吸引力のもとで搬送ホースにより搬送しようとすると、その水分により表土がホース内面に付着することが起こりやすい。そして、このホース内面への表土の付着は、搬送ホースの有効内径の減少を引き起こすため、それによる搬送効率、ひいては作業効率の低下が伴われる。
【０００９】
さらに、表土には、比較的長い小枝等も含まれており、このような小枝をそのまま吸い込むと、搬送ホース内に小枝が引っ掛かることによる詰まりも生じる虞があることから、採取形態の表土をそのまま搬送するこの公知の方法においては、この点においても、搬送効率、ひいては作業効率の低下が伴われやすい。
【特許文献１】特開２０００−２７０６７４号公報
【発明の開示】
【発明が解決しようとする課題】
【００１０】
解決しようとする問題点は、森林内での搬送ホースの取り回しが容易でない点、および搬送ホースの内面に表土が付着しやすい点である。
【課題を解決するための手段】
【００１１】
請求項１に係る本発明の表土の採取・搬送方法は、現地植生生態域の表層面に堆積した表土を、所定高圧流体の吹き付けによりほぐし、そのほぐした表土を、所定箇所に集積する工程と、この集積した表土を所定の表土改良機によって粉砕しながら混合し、その表土に含まれている水分を、この混合時に所定の吸水材に吸水させることにより、この表土を、含水量の低減された、搬送ホースによる流動搬送の可能な状態に改良する工程と、この改良された改良表土を、流動搬送装置の搬送ホースを介して、その現地植生生態域から流動搬送する工程とを有することを、その最も主要な特徴としている。
【００１２】
また、この発明の請求項２は、高圧エアを噴出するリターショベルを、表土をほぐす作業に使用するものとしたことを、その最も主要な特徴としている。
【００１３】
さらに、この発明の請求項３は、高圧エアを噴出するリターショベルを、表土の集積作業に使用するものとしたことを、その最も主要な特徴としている。
【００１４】
そして、この発明の請求項４は、森林等から採取した表土を収容する、傾斜支持されたドラム本体と、このドラム本体内に回転自在に延出配置された回転軸と、特定以上の負荷が加わった際におけるその回転進行方向後方側への首振りを可能に、この回転軸の軸線に対する直交方向に延出支持された翼状刃部と、この翼状刃部を、その初期位置に復元、保持するための付勢手段と、回転軸を回転駆動する駆動手段とを具備してなる表土改良機を、表土を改良する工程において使用するものとしたことを、その最も主要な特徴としている。
【００１５】
また、この発明の請求項５は、搬送ホースを介した吸引の可能なバキュームカーを、改良表土を流動搬送する工程において使用するものとしたことを、その最も主要な特徴としている。
【００１６】
そして、請求項６に係る本発明の表土改良機は、森林等から採取した表土を収容する、傾斜支持されたドラム本体と、このドラム本体内に回転自在に延出配置された回転軸と、特定以上の負荷が加わった際におけるその回転進行方向後方側への首振りを可能に、この回転軸の軸線に対する直交方向に延出支持された翼状刃部と、この翼状刃部を、その初期位置に復元、保持するための付勢手段と、回転軸を回転駆動する駆動手段とを具備した、分解運搬の可能なものであることを、その最も主要な特徴としている。
【発明の効果】
【００１７】
請求項１に係る本発明の表土の採取・搬送方法においては、高圧流体の吹き付けによりほぐした表土を人力等によって表土改良機に投入し、この表土改良機によって、その表土を、含水量の低減された、搬送ホースによる流動搬送の可能な状態に改良した後に搬送ホースによる流動搬送を行うため、搬送ホースによる流動搬送が、この搬送ホース内での付着等を伴うことなく容易に行えるという利点がある。
【００１８】
また、この発明においては、ほぐした表土の採取自体にバキューム等を使用しないため、現地植生生態域内での搬送ホースの取り回しは不要となる。従って、その作業の容易化、ひいては作業性の向上が確実にはかられるという利点が、この請求項１にはある。
【００１９】
そして、この発明の請求項２は、リターショベルを用いての表土のほぐし作業であるため、植生の根を傷つけることのない作業が、表土に余分な水分を与えることなく容易に行えるという利点がある。
【００２０】
さらに、この発明の請求項３は、リターショベルを用いての表土の集積作業であり、この表土の集積作業が、表土のほぐし作業からその道具を変えることなく連続して行えるため、その作業性が確実に向上されるという利点がある。
【００２１】
また、この発明の請求項４において使用する表土改良機は、いわゆる斜めドラムとしてなるドラム本体内で翼状刃部を回転させるものであるため、この構成によれば、表土の粉砕、攪拌の両立が適切にはかられるという利点がある。
【００２２】
そして、この表土改良機の翼状刃部は、特定以上の負荷が加わった際におけるその回転進行方向後方側への首振りを可能としたものであるため、石等が表土に混在した場合等における、その歯部の保護性能が確実に向上されるという利点が、この請求項４にはある。
【００２３】
さらに、この発明の請求項５は、改良された表土を、バキュームカーによって流動搬送するため、その流動搬送が、構成の複雑化等を伴うことなく適切かつ容易に行えるという利点がある。
【００２４】
そして、バキュームカーを用いることにより、その後の運搬も容易に行えることから、その後の作業性の向上も十分にはかられるという利点が、この請求項５にはある。
【００２５】
また、請求項６に係る本発明の表土改良機は、いわゆる斜めドラムとしてなるドラム本体内で翼状刃部を回転させることにより、表土の粉砕を行うため、表土の粉砕に加えたその攪拌が同時に行える、つまり表土の粉砕、攪拌の両立が構成の複雑化を伴うことなく容易に確保可能になるという利点がある。
【００２６】
そして、特定以上の負荷が加わった際におけるその回転進行方向後方側への首振りを可能に、表土改良機の翼状刃部は構成されているため、石等が表土に混在した場合等における、その歯部の保護性能が確実に向上されるという利点が、この請求項６にはある。
【００２７】
さらに、分解運搬を可能としているため、人力での運搬が容易に可能になるという利点が、この請求項６にはある。
【発明を実施するための最良の形態】
【００２８】
搬送ホース内への表土の付着等を伴うことなく、表土の採取・搬送を可能にするという目的を、構成の複雑化等を伴うことなく実現可能とした。
【実施例】
【００２９】
図１は、この発明に係る表土の採取・搬送方法での作業工程を示すフロー図であり、図示のように、この発明の表土の採取・搬送方法は、表土をほぐし集積する工程（１０２）と、集積した表土を改良する工程（１０４）と、改良した表土を流動搬送する工程（１０６）とを有するものとなっている。
【００３０】
図２に、この発明の表土の採取・搬送方法における作業工程図を示す。なお、ここでいう表土は、森林等の現地植生生態域１０の表層面に堆積したものを指し、その一回の作業での採取範囲は、たとえば半径１０ｍ程度として規定される。
【００３１】
この図２を見るとわかるように、図１に（１０２）として示す表土をほぐし集積する工程においては、たとえば、高圧エアを噴出するリターショベル１２が、その装置として使用される。
【００３２】
図３に示すように、このリターショベル１２は、パイプ状本体１４の先端に、たとえば三つ又の噴出口１６を有する形態としてなり、図２に示すように、たとえばコンプレッサ１８により送り込まれた高圧エアを、この三つ又の噴出口から表土２０−１に向けて噴射することにより、地表面に堆積した表土をその圧力のもとで吹き飛ばしながらほぐすものとして構成されている。
【００３３】
なお、図３に示す参照符号２２は、高圧エアで表土２０−１を吹き飛ばした際におけるその飛び散り防止カバーを示すが、このようなリターショベルの基本構造は公知であり、その基本構造自体はこの発明の趣旨でないため、このリターショベルに対する詳細な説明は、ここでは省略する。
【００３４】
このリターショベル１２に対しては、コンプレッサ１８からの高圧エアが、直径４０ｍｍ程度のエアホース２４を介して供給される。このような直径４０ｍｍ程度のエアホース２４であれば、その取り回しに格段の困難性はないため、表土２０−１のほぐし作業、および森林等の現地植生生態域１０内での移動に、このエアホースが支障を与えることはほぼないものと考えられる。
【００３５】
また、このようなリターショベル１２での高圧エアの吹き付けによる表土２０−１のほぐし作業であれば、植生２１の根を傷つけることのない作業が容易に確保可能となる。
【００３６】
このリターショベル１２によってほぐした表土２０−１は、ここでは人力により、たとえば採取範囲の1ヶ所等に集積される。なお、この表土２０−１の集積は、表土のほぐしに使用したリターショベル１２での寄せ集めにより行うことができる。
【００３７】
次に、図１の（１０４）および図２を見るとわかるように、このリターショベル１２によって集積した表土（集積表土）２０−２を、粉砕可能な表土改良機２６によって、含水量の低減された、搬送ホース２８による流動搬送の可能な状態に改良する。
【００３８】
図２に加えて図４（Ａ），（Ｂ）を見るとわかるように、この表土改良機２６は、採取、集積した表土２０−２を収容可能とする、傾斜支持されたドラム本体３０と、このドラム本体内に回転自在に延出配置された回転軸３２と、特定以上の負荷が加わった際におけるその反回転進行方向への首振りを可能に、この回転軸の軸線に対する直交方向に延出支持された翼状刃部３４と、この翼状刃部を、その初期位置に復元、保持するための付勢手段３６と、回転軸を回転駆動する駆動手段３８とを具備してなるものとして具体化されている。
【００３９】
採取、集積された表土２０−２は、この表土改良機のドラム本体３０に投入される。そして、モータ等の動力源を有する駆動手段３８の駆動力のもとで、回転軸３２を翼状刃部３４と共に回転させることによって、表土２０−２の粉砕を行うとともに、ドラム本体３０が傾斜支持されていることでその攪拌も同時に確保できるものとして、その表土の攪拌も同時に可能に構成されている。
【００４０】
なお、図４（Ａ），（Ｂ）に示すように、翼状刃部３４は、等角度離反した複数箇所、たとえば４ヶ所に延出配置される。そして、この実施例においては、この４ヶ所に延出配置された翼状刃部３４の組を２段に設けることによって、ドラム本体３０内の広範囲での粉砕、攪拌を可能に構成されている。
【００４１】
ここで、採取、投入した表土２０−２には、たとえば石等が混在される場合があり、この石等に翼状刃部３４があたると、刃こぼれ等の原因となることが考えられる。そこで、この発明においては、特定以上の負荷が加わった際におけるその反回転進行方向への首振りを可能に、翼状刃部３４が回転軸３２に対して延出支持されるとともに、付勢手段３６の付勢力のもとで、翼状刃部はその初期位置に付勢、保持されている。
【００４２】
この付勢手段３６としては、たとえば、翼状刃部３４の支軸４０周りに配されたねじりばね等が利用できる。
【００４３】
たとえば、回転軸３２の駆動により回転した際、表土収容時の通常の抵抗力のもとでは、付勢手段３６の付勢力のもとで、翼状刃部３４は図４（Ｂ）に実線で示す通常位置に付勢、保持されている。そして、石等とのあたりによりこの翼状刃部３４に過剰な負荷が掛かり、その負荷が付勢手段３６の付勢力を超えると、この付勢手段の付勢力に抗して、翼状刃部が、支軸４０を支点として、その反回転進行方向（一点鎖線矢印で示す図中反時計方向）に首を振る。
【００４４】
このような、反回転進行方向への首振りの可能な翼状刃部３４であれば、その首振りによる衝撃吸収のもとで、翼状刃部の刃こぼれが確実に防止可能となるため、その安全保護性能が確実に向上される。
【００４５】
ところで、森林等の現地植生生態域１０の表層面に堆積された表土２０−１は、一般的に比較的多くの水分を含んでいる。そこで、この発明においては、この表土改良機２６による表土２０−２の粉砕、攪拌時、この表土に所定の吸水材を混合し、これに水分を吸収させることによって、この表土を、含水量の低減された、搬送ホース２８による流動搬送の可能な状態に改良するものとしている。
【００４６】
一般に、堆積した表土２０−１には植生の落葉が含まれている。そして、この落葉は、通常、吸水性能を持つことから、この表土を、落葉を含めて採取、投入することにより、この落葉の、吸水材としての機能が十分に期待できる。
【００４７】
このような、水分量の低減された略粉体状の改良表土２０−３を、次に、流動搬送装置４２により流動搬送する（図１の（１０６）参照）。
【００４８】
この流動搬送装置４２としては、たとえばバキュームカーが利用でき、このバキュームカーでの吸引による、搬送ホース２８を介した流動搬送、およびこのバキュームカーでの運搬により、改良表土２０−３は所定の保管場所に移動、保管される。
【００４９】
この発明においては、表土改良機２６により改良された低水分量の改良表土２０−３を、搬送ホース２８を介して流動搬送すれば足りるため、搬送ホース内での表土の付着、詰まり等が確実に防止される。
【００５０】
なお、ここでは表土２０−１に含まれる落葉を吸水材として利用する例を示しているが、これに限定されず、たとえば、パルプファイバー、藁、バーク堆肥、パーライト、吸水性ポリマー等を、吸水材として別途混合、攪拌してもよい。
【００５１】
上記のように、この発明の表土の採取・搬送方法によれば、リターショベル１２によりほぐした表土２０−２を、人力によって表土改良機２６に投入し、この表土改良機によって、その表土を、含水量の低減された、搬送ホース２８による流動搬送の可能な状態に改良するため、搬送ホースによる流動搬送が、この搬送ホース内での付着、およびその詰まり等を伴うことなく容易に可能になる。従って、この発明によれば、表土の搬送効率、ひいては作業効率が確実に向上される。
【００５２】
また、この発明においては、ほぐした表土の採取自体にバキューム等を使用しないため、現地植生生態域１０内での搬送ホースの取り回しは不要となる。従って、その作業の容易化、ひいては作業性の向上が確実にはかられる。
【００５３】
ここで、この実施例においては、表土２０−１のほぐしを、リターショベル１２による高圧エアの吹き付けのもとで行うものとして限定的に具体化しているが、高圧エアに限定されるものではなく、同様の高圧流体であれば、植生の根に傷をつけない表土のほぐしが可能となることから、この高圧流体として、たとえば高圧水を用いてもよい。
【００５４】
しかしながら、実施例のように、表土２０−１のほぐしを行う装置として、高圧エアによるリターショベル１２を用いれば、表土に余分な水分を与えることなく、そのほぐしが行えるため、重量の低減等による、その後の作業の容易化が十分にはかられる。
【００５５】
また、この実施例のように、リターショベル１２によってほぐした表土２０−１の集積を、表土のほぐしに使用したリターショベルでの寄せ集めにより行えば、その道具の持ち替え等が不要となることから、その作業性が確実に向上される。
【００５６】
ところで、この発明の実施例においては、表土改良機２６を、いわゆる斜めドラムとしてなるドラム本体３０と、回転軸３２に設けられた翼状刃部３４との組み合わせとして概略構成しているため、表土を粉砕しながらの攪拌が確実に可能になる。つまり、この表土改良機攪拌２６によれば、表土の粉砕、攪拌の両立が確実に可能になる。
【００５７】
そして、この表土改良機の翼状刃部３４は、特定以上の負荷が加わった際におけるその反回転進行方向への首振りを可能としたものであるため、石等が表土に混在した場合等における、その刃部の刃こぼれが十分に防止可能となることから、その保護性能が確実に向上される。
【００５８】
ここで、この表土改良機２６は、分解運搬の可能な構成であることが好ましい。このような構成であると、人力での運搬が容易に可能になることから、現地植生生態域１０の荒廃を伴うことのない表土の採取作業が容易に確保可能となる。
【００５９】
さらに、この実施例においては、流動搬送装置４２としてバキュームカーを例示しているが、搬送ホース２８を介した表土２０−３の流動搬送を可能とする装置であれば足りるため、これに限定されず、たとえば、エアブロア等の空気搬送機を、この流動搬送装置として利用してもよい。しかしながら、この実施例のように、バキュームカーを用いれば、現地植生生態域１０からの表土の運搬が容易に行えるため、その際の作業性が確実に向上される。
【００６０】
上述した実施の形態は、この発明を説明するためのものであり、この発明を何等限定するものでなく、この発明の技術範囲内で変形、改造等の施されたものも全てこの発明に包含されることはいうまでもない。
【図面の簡単な説明】
【００６１】
【図１】この発明の表土の採取・搬送方法での作業工程を示すフロー図である。
【図２】表土の採取・搬送方法での概略の作業図である。
【図３】リターショベルの、一部破断の概略斜視図である。
【図４】表土改良機の部分概略側面図、およびそのａ方向から見た部分正面図である。
【符号の説明】
【００６２】
１０  現地植生生態域
１２  リターショベル
２０（２０−１〜２０−３）  表土
２６  表土改良機
２８  搬送ホース
３０  ドラム本体
３２  回転軸
３４  翼状刃部
３６  付勢手段
３８  駆動手段
【図１】
2008050750.tif 000003
【図２】
2008050750.tif 000004
【図３】
2008050750.tif 000005
【図４】
2008050750.tif 000006